(57)【要約】【課題】塞ぎ部材の形状に関する設計上の制約を緩和できる技術を提供する。【解決手段】室内空間を画定するとともに隣り合う複数の天井パネル１８と、天井パネル１８の外辺部に取り付けられる取付部材２６と、天井パネル１８の外辺部と壁パネル１６との間に形成される隙間５０を塞ぎ、取付部材２６とともにベース２２に固定される塞ぎ部材２８と、を備え、塞ぎ部材２８は、室内空間１４側から隙間５０に差し込み可能な形状である。【選択図】図２
2018100579.tif 000002
【特許請求の範囲】
【請求項１】
室内空間を画定するとともに隣り合う複数の天井パネルと、
前記天井パネルの外辺部に取り付けられる取付部材と
前記外辺部と壁パネルの間に形成される隙間を塞ぎ、前記取付部材とともにベースに固定される塞ぎ部材と、を備え、
前記塞ぎ部材は、前記室内空間側から前記隙間に差し込み可能な形状であるルームユニット。
【請求項２】
前記塞ぎ部材は、隣り合う前記天井パネルの境界位置を前記外辺部に沿った辺方向に跨ぐ形状である請求項１に記載のルームユニット。
【請求項３】
前記ベース及び前記取付部材は、前記隙間から前記塞ぎ部材を抜き出したとき、前記室内空間から前記隙間を通して視認可能な位置に配置される請求項１または２に記載のルームユニット。
【請求項４】
前記取付部材は、前記ベースに設けられるガイド部に対して前記壁パネルの室内外方向の両側に配置される複数の被ガイド部を有する請求項１から３のいずれかに記載のルームユニット。
【請求項５】
前記複数の被ガイド部は、前記外辺部に沿った辺方向にずれた位置に設けられる請求項４に記載のルームユニット。
【請求項６】
前記複数の天井パネルが形成する天井面の角部より下方に配置されるコーナー部材を備え、
前記コーナー部材は、前記室内空間側からの前記隙間に対する前記塞ぎ部材の差し込みによって、前記塞ぎ部材が装着される被装着部を有する請求項１から５のいずれかに記載のルームユニット。
【請求項７】
請求項１〜６のいずれかに記載のルームユニットの組み立て方法であって、
前記取付部材を取り付けた状態の前記天井パネルを前記壁パネルの上方に配置し、
前記室内空間側から前記隙間に前記塞ぎ部材を差し込み、
前記塞ぎ部材を前記取付部材とともに前記ベースに固定することを特徴とするルームユニットの組み立て方法。
【発明の詳細な説明】
【技術分野】
【０００１】
本発明は、浴室ユニット等のルームユニット及びその組み立て方法に関する。
【背景技術】
【０００２】
浴室ユニットの組み立て方法として内組工法が知られる。この内組工法は、浴室ユニットの室内空間を作業空間として浴室ユニットを組み立てるものであり、浴室ユニットの周囲に作業空間を確保できない状況下で好適に用いられる。
【０００３】
特許文献１には、この内組工法を実現できる浴室ユニットの一例が記載されている。この浴室ユニットは、天井パネルの外辺部に取り付けられる第１部材と、第１部材とともに天井パネルの外辺部を挟み込む第２部材とを備える。第２部材は、壁パネルの室外側に配置されたつなぎ材に室内空間からビスにより固定される。第２部材は、天井パネルと壁パネルの間の隙間を塞ぐ役割を果たしている。
【０００４】
この浴室ユニットを用いて天井パネルを固定する手順は以下になる。まず、天井パネルの外辺部に第１部材とともに第２部材を取り付ける。この後、第２部材を取り付けた状態で天井パネルを壁パネル上に配置する。この後、第２部材をビスによりつなぎ材に固定する。
【先行技術文献】
【特許文献】
【０００５】
【特許文献１】特開２０１４−９５１９号公報
【発明の概要】
【発明が解決しようとする課題】
【０００６】
特許文献１の浴室ユニットでは、第２部材を取り付けた状態で天井パネルを壁パネルの上方に配置している。よって、隣り合う天井パネルのそれぞれに取り付けられた第２部材が並ぶことで、隣り合う天井パネルの境界位置で第２部材に継ぎ目が生じてしまう。つまり、特許文献１の浴室ユニットでは、隣り合う天井パネルの境界位置との関係で、天井パネルと壁パネルの間の隙間を塞ぐ塞ぎ部材の形状に継ぎ目が生じてしまい、その形状に設計上の制約が生じる。設計上の自由度を高める観点からは改善が望まれる。
【０００７】
本発明は、このような課題に鑑みてなされ、その目的は、塞ぎ部材の形状に関する設計上の制約を緩和できる技術を提供することにある。
【課題を解決するための手段】
【０００８】
本発明の第１態様はルームユニットである。第１態様のルームユニットは、室内空間を画定するとともに隣り合う複数の天井パネルと、前記天井パネルの外辺部に取り付けられる取付部材と前記外辺部と壁パネルの間に形成される隙間を塞ぎ、前記取付部材とともにベースに固定される塞ぎ部材と、を備え、前記塞ぎ部材は、前記室内空間側から前記隙間に差し込み可能な形状である。
【０００９】
第１態様によれば、天井パネルに塞ぎ部材を取り付けた状態で天井パネルを壁パネルの上方に配置せずとも、天井パネルと壁パネルの間の隙間に塞ぎ部材を配置できるようになる。このため、隣り合う天井パネルの境界位置とは無関係に塞ぎ部材の形状を設計できるようになり、塞ぎ部材の形状に関する設計上の制約を緩和できる。
【図面の簡単な説明】
【００１０】
【図１】実施形態のルームユニットを示す図である。
【図２】実施形態の天井パネルと壁パネルの隅部を周辺構造とともに示す断面図である。
【図３】実施形態のルームユニットの一部を示す分解斜視図である。
【図４】実施形態の化粧カバーを取り外した状態を示す図である。
【図５】実施形態の複数の天井パネルと取付部材を示す平面図である。
【図６】実施形態の取付部材の斜視図である。
【図７】実施形態の取付部材の平面図である。
【図８】実施形態の取付部材を室内外方向Ｙの室内側から見た図である。
【図９】実施形態の天井パネルと壁パネルの隙間から塞ぎ部材を抜き出した状態を示す図である。
【図１０】実施形態の天井パネルと壁パネルの隙間を室内空間側から見た図である。
【図１１】天井パネルを壁パネルの上方に配置する途中状態を示す図である。
【図１２】図４のＡ部のコーナー部材の平面図である。
【図１３】図１２のＢ−Ｂ線端面図である。
【図１４】図１２のＣ−Ｃ線端面図である。
【図１５】図１５（ａ）は、第２塞ぎ部材にコーナー部材を装着した状態を示す図であり、図１５（ｂ）は、第２塞ぎ部材を隙間に差し込む途中状態を示す図であり、図１５（ｃ）は、第１塞ぎ部材を隙間に差し込む途中状態を示す図である。
【発明を実施するための形態】
【００１１】
以下、実施形態、変形例では、同一の構成要素に同一の符号を付し、重複する説明を省略する。また、各図面では、説明の便宜のため、構成要素の一部を適宜省略したり、構成要素の寸法を適宜拡大、縮小して示す。また、共通点のある別々の構成要素には、名称の冒頭に「第１、第２」と付し、符号の末尾に「−Ａ、−Ｂ」と付すことで区別し、総称するときはこれらを省略する。
【００１２】
図１は、本実施形態のルームユニット１２を示す図である。ルームユニット１２は、建物の躯体の内側に配置され、その内側に室内空間１４を形成する。本実施形態のルームユニット１２は浴室ユニットである。ルームユニット１２の内側には室内空間１４として浴室空間が形成される。ルームユニット１２は、四方に配置される複数の壁パネル１６と、複数の壁パネル１６の上方に配置される複数の天井パネル１８とを備える。複数の壁パネル１６と複数の天井パネル１８は室内空間１４を画定する。
【００１３】
図２は、壁パネル１６と天井パネル１８の隅部を周辺構造とともに示す断面図である。図３は、ルームユニット１２の一部を示す分解斜視図である。ルームユニット１２は、図２、図３に示すように、前述の壁パネル１６と、天井パネル１８との他に、床体２０と、ベース２２と、位置決め具２４と、取付部材２６、塞ぎ部材２８と、締結具３０と、化粧カバー３２と、コーナー部材（不図示）とを備える。本実施形態のルームユニット１２は天井パネル１８、取付部材２６、塞ぎ部材２８に特徴の一つがあるが、先に周辺構造を説明する。
【００１４】
複数の壁パネル１６は、水平方向に並べられる。隣り合う壁パネル１６の側辺部同士は連結部材（不図示）により連結される。壁パネル１６の並び方向の両端側の側辺部は柱材３４（後述する）にビス等を用いて固定される。
【００１５】
図３に示すように、本実施形態の床体２０は床パンであり、建物の躯体の床面上に設置される。
【００１６】
ベース２２は、壁パネル１６や天井パネル１８の固定相手となり、これらを支持する役割をもつ。ベース２２は、壁パネル１６の室外側に配置される。ベース２２は、床体２０の四隅から立ち上がる四本の柱材３４と、四本の柱材３４の上端部を連結する四本のつなぎ材３６とを有する。
【００１７】
四本のつなぎ材３６は平面視で矩形を呈するように設けられる。四本のつなぎ材３６のそれぞれは、四本のつなぎ材３６がなす矩形の各辺に沿って延びる長尺体である。本実施形態のつなぎ材３６は、鋼等の金属を素材とする押出成形品（一体成形品）である。図２に示すように、つなぎ材３６は、上下に延びるガイド部３６ａと、ガイド部３６ａの下端部から室内空間１４とは反対側に向かって延びる載せ部３６ｂとを有する。
【００１８】
位置決め具２４は、柱材３４に壁パネル１６を固定するとき、つなぎ材３６に対して壁パネル１６を室内外方向Ｙに位置決めするためのものである。位置決め具２４は、つなぎ材３６に取り付けられる。
【００１９】
化粧カバー３２は、後述する塞ぎ部材２８を室内空間１４側から覆い隠すためのものである。
【００２０】
天井パネル１８は、室内空間１４に露出する板状の表面材４２と、表面材４２の裏面に接着等により取り付けられた板状の裏打ち材４４とを有する。本実施形態において、表面材４２は化粧鋼板であり、裏打ち材４４は石膏ボードである。表面材４２は、裏打ち材４４より外周側に広がる主面部４２ａと、主面部４２ａの周縁部から上向きに延びる周壁部４２ｂとを有する。
【００２１】
図５は、複数の天井パネル１８と取付部材２６を示す平面図である。天井パネル１８は、複数（本例では二枚）を一組として水平方向に並べられており、一つの天井面４６（図１参照）を形成している。天井面４６は、複数の天井パネル１８の並び方向（図１の左右方向）に延びる辺を長辺とし、長辺と隣接する辺を短辺とする矩形状をなす。
【００２２】
天井パネル１８の四周の辺部には、天井面４６の四周の外辺に沿って設けられる外辺部１８ａが含まれる。天井面４６の対辺の関係にある二つの外辺（本例では長辺側の外辺）は、隣り合う天井パネル１８の外辺部１８ａが形成する。以下、外辺部１８ａに沿った水平方向を辺方向Ｘとし、その辺方向Ｘと直交する水平方向を室内外方向Ｙとして、その外辺部１８ａに対応する構成要素を説明する。室内外方向Ｙは、その外辺部１８ａの下方に配置される壁パネル１６を表裏に貫通する方向であり、その壁パネル１６の法線方向でもある。
【００２３】
取付部材２６は、天井パネル１８の各外辺部１８ａに取り付けられる。本実施形態では、複数の取付部材２６が一つの外辺部１８ａに取り付けられる。一つの外辺部１８ａに取り付けられる複数の取付部材２６は、その外辺部１８ａの辺方向Ｘに間隔を空けて配置される。
【００２４】
図６は、取付部材２６の斜視図である。図２、図６に示すように、本実施形態の取付部材２６は樹脂を用いた射出成形品（一体成形品）である。取付部材２６は、挟持部２６ａと、弾性爪２６ｆと、複数の被ガイド部２６ｈとを有する。
【００２５】
挟持部２６ａは、天井パネル１８の外辺部１８ａを挟持する。挟持部２６ａは、室内外方向Ｙの内側に向けて開いている。天井パネル１８の外辺部１８ａは、取付部材２６の挟持部２６ａ内に室内外方向Ｙの内側から外側に向けて差し込まれている。
【００２６】
挟持部２６ａは、天井パネル１８の外辺部１８ａの上下に設けられる上壁部２６ｃ及び下壁部２６ｄと、その外辺部１８ａより室内外方向Ｙの外側に設けられる側壁部２６ｅとを有する。上壁部２６ｃは天井パネル１８の裏打ち材４４の裏面に接触し、下壁部２６ｄは天井パネル１８の表面材４２の表面に接触する。挟持部２６ａの上壁部２６ｃと下壁部２６ｄの間隔は、天井パネル１８の厚みより僅かに小さくなるように設定される。これにより、挟持部２６ａは、上下に僅かに広がるように弾性変形した状態で設けられ、その弾性変形に起因する弾性反発力により天井パネル１８を挟み込める。
【００２７】
図７は、取付部材２６の平面図である。上壁部２６ｃは、天井パネル１８の辺方向Ｘに間隔を空けて設けられる二つの第１壁部分２６ｃａと、二つの第１壁部分２６ｃａの室内側端部を繋ぐ第２壁部分２６ｃｂとを有する。
【００２８】
図２に示すように、弾性爪２６ｆは、スナップフィット方式により取付部材２６を天井パネル１８に取り付けるためのものである。弾性爪２６ｆは、挟持部２６ａの二つの第１壁部分２６ｃａの間に配置され、第２壁部分２６ｃｂに繋がれている。弾性爪２６ｆは、天井パネル１８の周壁部４２ｂに内周側から当接することにより、挟持部２６ａからの外辺部１８ａの抜け出しを規制する。これにより、取付部材２６は、天井パネル１８に対する室内外方向Ｙでの相対位置が保持される。
【００２９】
図８は、取付部材２６を室内外方向Ｙの内側から見た図である。図２、図８に示すように、取付部材２６の被ガイド部２６ｈは、挟持部２６ａから下向きに延びる。複数の被ガイド部２６ｈは、取付部材２６の下方に設けられるつなぎ材３６のガイド部３６ａを挟んで室内外方向Ｙの両側に配置される。複数の被ガイド部２６ｈは、取付部材２６をつなぎ材３６上に配置するとき、つなぎ材３６のガイド部３６ａに摺動させつつ下降させることで、取付部材２６をガイドさせるためのものである。
【００３０】
複数の被ガイド部２６ｈには、ガイド部３６ａより室内空間１４側に配置される内側被ガイド部２６ｈ−Ａと、ガイド部３６ａを挟んで内側被ガイド部２６ｈ−Ａとは反対側に配置される外側被ガイド部２６ｈ−Ｂとが含まれる。内側被ガイド部２６ｈ−Ａと外側被ガイド部２６ｈ−Ｂは天井パネル１８の辺方向Ｘにずれた位置に設けられる。別の観点からいうと、内側被ガイド部２６ｈ−Ａと外側被ガイド部２６ｈ−Ｂは、室内空間１４から室内外方向Ｙに見たとき、つまり、図８の視点から見たとき、天井パネル１８の辺方向Ｘの異なる位置に設けられる。
【００３１】
内側被ガイド部２６ｈ−Ａと外側被ガイド部２６ｈ−Ｂとには、天井パネル１８の辺方向Ｘに見て室内外方向Ｙに対向する箇所の下端部に傾斜面２６ｉが設けられる。傾斜面２６ｉは、下方に向かうにつれてガイド部３６ａから離れるように傾斜している。外側被ガイド部２６ｈ−Ｂはつなぎ材３６の載せ部３６ｂ上に載せられている。
【００３２】
図２に示すように、塞ぎ部材２８は、天井パネル１８の外辺部１８ａと壁パネル１６の上辺部１６ａとの間に形成される隙間５０を塞いでいる。塞ぎ部材２８は、後述するように、取付部材２６とともにつなぎ材３６に固定される。これにより、天井パネル１８は取付部材２６を介してつなぎ材３６に固定される。
【００３３】
図４に示すように、塞ぎ部材２８には、天井面４６の長辺に沿って設けられる第１塞ぎ部材２８−Ａと、天井面４６の短辺に沿って設けられる第２塞ぎ部材２８−Ｂとが含まれる。コーナー部材４８は、天井面４６の四隅の角部４６ａのそれぞれに対応して設けられる。コーナー部材４８は、天井面４６の対応する角部４６ａより下方に配置され、その角部４６ａと壁パネル１６の間の隙間を塞いでいる。天井パネル１８と壁パネル１６の間の隙間５０は複数の塞ぎ部材２８と複数のコーナー部材４８により全周に亘り塞がれる。
【００３４】
塞ぎ部材２８は、天井パネル１８の辺方向Ｘに沿って延びる長尺体である。本実施形態の塞ぎ部材２８は、樹脂を用いた押出成形品（一体成形品）である。塞ぎ部材２８の長手寸法は、天井パネル１８の辺方向Ｘの一方側に隣り合うコーナー部材４８から、他方側に隣り合うコーナー部材４８までの長さと同等の長さである。隣り合う天井パネル１８の直線状に並ぶ外辺部１８ａの下方に配置される第１塞ぎ部材２８−Ａは、隣り合う天井パネル１８の境界位置１８ｂを辺方向Ｘに跨ぐ形状である。
【００３５】
図２に示すように、塞ぎ部材２８は、上壁部２８ａと、下壁部２８ｂと、内壁部２８ｃと、外壁部２８ｄとを有する。上壁部２８ａと下壁部２８ｂは上下に間隔を空けて設けられ、室内外方向Ｙに延びている。内壁部２８ｃと外壁部２８ｄは室内外方向Ｙに間隔を空けて設けられ、上下に延びている。内壁部２８ｃと外壁部２８ｄは上壁部２８ａと下壁部２８ｂを繋いでおり、これらは中空構造を形成している。
【００３６】
上壁部２８ａは天井パネル１８の天井面４６に接触する。上壁部２８ａの上面部には第１シール部２８ｆが設けられる。本実施形態の第１シール部２８ｆは上向きに突き出るヒレ状をなし、天井パネル１８と塞ぎ部材２８の間をシールする。
【００３７】
下壁部２８ｂは壁パネル１６の上辺部１６ａに接触する。下壁部２８ｂの下面部には第２シール部２８ｇが設けられる。本実施形態の第２シール部２８ｇは塞ぎ部材２８とは別部材の弾性体であり、塞ぎ部材２８と壁パネル１６の間をシールする。
【００３８】
下壁部２８ｂは、その室内側端部から下向きに延びる垂下部２８ｈを有する。垂下部２８ｈの裏面部には第３シール部２８ｉが設けられる。第３シール部２８ｉは室内外方向Ｙの内側に突き出るヒレ状をなし、壁パネル１６と垂下部２８ｈの間をシールする。
【００３９】
塞ぎ部材２８の室内空間１４に臨む位置にはカバー装着部２８ｊが設けられる。カバー装着部２８ｊには化粧カバー３２が着脱可能に装着される。
【００４０】
本実施形態の締結具３０はねじである。本実施形態の締結具３０は、締結具３０自身がねじ立て可能なドリルねじ、タッピングねじ等である。締結具３０は、塞ぎ部材２８を取付部材２６とともにつなぎ材３６に固定している。詳述する。締結具３０は、塞ぎ部材２８の内壁部２８ｃ及び外壁部２８ｄと、取付部材２６の内側被ガイド部２６ｈ−Ａと、つなぎ材３６のガイド部３６ａとを貫通する。締結具３０は、つなぎ材３６のガイド部３６ａにねじ込まれ、つなぎ材３６とともに塞ぎ部材２８及び取付部材２６を共締めすることで、これらをつなぎ材３６に固定している。このとき、塞ぎ部材２８及び取付部材２６は辺方向Ｘ、室内外方向Ｙ、上下方向に固定される。
【００４１】
取付部材２６の内側被ガイド部２６ｈ−Ａには、締結具３０を通すための孔として長孔２６ｊが形成される（図６も参照）。長孔２６ｊは、天井パネル１８の辺方向Ｘに沿って延びている。塞ぎ部材２８の内壁部２８ｃと外壁部２８ｄとには締結具３０を通すための挿通孔２８ｋが形成される。長孔２６ｊは、塞ぎ部材２８の挿通孔２８ｋに対する取付部材２６の辺方向Ｘでの位置変化を許容するためのものである。長孔２６ｊや挿通孔２８ｋは、ルームユニット１２の組み立て前に工場等で予め形成されている。
【００４２】
図９は、天井パネル１８と壁パネル１６の隙間５０から塞ぎ部材２８を抜き出した状態を示す図である。塞ぎ部材２８は、この隙間５０に室内空間１４側から方向Ｐａに差し込み可能な形状である。これは、ルームユニット１２の組み立て時に、前述の隙間５０に室内空間１４側から差し込み可能な形状であることを意味する。塞ぎ部材２８は、天井パネル１８や壁パネル１６の上辺部１６ａとの接触によりガイドされつつ、これらの間の隙間５０に差し込み可能である。
【００４３】
図１０は、壁パネル１６と天井パネル１８との隙間５０を室内空間１４側から見た図である。取付部材２６及びつなぎ材３６は、壁パネル１６と天井パネル１８の隙間５０から塞ぎ部材２８を室内空間１４側に抜き出したとき、室内空間１４から隙間５０を通して視認可能な位置に配置される。詳しくは、つなぎ材３６のガイド部３６ａと取付部材２６の複数の被ガイド部２６ｈの少なくとも一部が視認可能な位置に配置される。
【００４４】
以上のルームユニット１２の組み立て方法を説明する。ルームユニット１２は内組工法を用いて組み立てる。つまり、ルームユニット１２の室内空間１４となるべき箇所を作業空間としてルームユニット１２を組み立てる。
【００４５】
まず、建物の躯体の床面上に床体２０を設置する。この後、床体２０上に複数の柱材３４を設置する。この後、複数の柱材３４の上端部にねじ止め等によりつなぎ材３６を固定し、複数の柱材３４をつなぎ材３６により連結する。この後、つなぎ材３６に位置決め具２４を取り付ける。この後、位置決め具２４により壁パネル１６を室内外方向Ｙに位置決めしつつ、壁パネル１６を柱材３４にねじ止め等により固定する。
【００４６】
次に、図５に示すように、天井パネル１８の外辺部１８ａに取付部材２６を取り付ける。本実施形態の取付部材２６は、弾性爪２６ｆを用いたスナップフィット方式により、天井パネル１８の各外辺部１８ａのそれぞれに取り付ける。
【００４７】
この後、図１１に示すように、取付部材２６を取り付けた状態の天井パネル１８を壁パネル１６の上方に配置する。天井パネル１８及び取付部材２６は、つなぎ材３６の載せ部３６ｂ上に取付部材２６の外側被ガイド部２６ｈ−Ｂを載せるように配置する。このとき、取付部材２６の被ガイド部２６ｈをつなぎ材３６のガイド部３６ａに摺動させつつ下降させる。これにより、天井パネル１８や取付部材２６の室内外方向Ｙでの変位を規制しつつ、取付部材２６をつなぎ材３６に載せられる。
【００４８】
この後、図９に示すように、天井パネル１８と壁パネル１６の間の隙間５０にルームユニット１２の室内空間１４側から塞ぎ部材２８を差し込む。詳細は後述するが、この隙間５０には塞ぎ部材２８とともにコーナー部材４８も配置する。
【００４９】
この後、締結具３０を用いて塞ぎ部材２８とともに取付部材２６をつなぎ材３６に固定する。この締結具３０は、塞ぎ部材２８、取付部材２６を貫通させたうえで、つなぎ材３６の被ガイド部２６ｈにねじ込まれる。このとき、締結具３０は室内空間１４から操作されることでつなぎ材３６にねじ込まれる。
【００５０】
この後、図４に示すように、コーナー部材４８と塞ぎ部材２８の継ぎ目５２や、隣り合う壁パネル１６の境界位置１６ｂの近傍にある塞ぎ部材２８と壁パネル１６の継ぎ目５４の止水処理を行う。止水処理は、これらの継ぎ目５２、５４の内部に経時硬化性をもつシーリング材を充填することで行われる。この後、塞ぎ部材２８のカバー装着部２８ｊに化粧カバー３２を装着する。
【００５１】
以上のルームユニット１２の作用効果を説明する。
塞ぎ部材２８は、天井パネル１８と壁パネル１６の間の隙間５０に室内空間１４側から差し込み可能な形状である。よって、天井パネル１８に塞ぎ部材２８を取り付けた状態で天井パネル１８を壁パネル１６の上方に配置せずとも、前述の隙間５０に塞ぎ部材２８を配置できるようになる。このため、隣り合う天井パネル１８の境界位置１８ｂとは無関係に塞ぎ部材２８の形状を設計できるようになり、塞ぎ部材２８の形状に関する設計上の制約を緩和できる。
【００５２】
特許文献１の開示技術では、天井パネル１８の境界位置で塞ぎ部材に継ぎ目が生じてしまうため、その継ぎ目を止水するための止水処理が別に必要になる。これに対して、本実施形態の塞ぎ部材２８は、図４に示すように、隣り合う天井パネル１８の境界位置１８ｂを辺方向Ｘに跨ぐ形状である。よって、天井パネル１８の境界位置１８ｂで塞ぎ部材２８に継ぎ目がない構造となる。このため、ルームユニット１２の組み立て時、止水処理の工数を減らすことができ、良好な施工性を得られる。
【００５３】
また、塞ぎ部材２８に継ぎ目がある場合、その継ぎ目に段差があると外観不良の原因となる。よって、この場合、塞ぎ部材２８の継ぎ目の段差を抑えるように調整する作業が別に必要となる。一方、本実施形態では塞ぎ部材２８に継ぎ目がない構造となるため、その調整作業を減らすことができ、良好な施工性を得られる。
【００５４】
また、図１０に示すように、ベース２２及び取付部材２６は、天井パネル１８と壁パネル１６の隙間５０から塞ぎ部材２８を抜き出したとき、室内空間１４から隙間５０を通して視認可能な位置に配置される。よって、取付部材２６とベース２２の取り合い状況を目視でき、両者が正しい位置に配置されているか容易に確認でき、施工の信頼性を確保し易くなる。ここでの正しい位置とは、本実施形態では、取付部材２６の複数の被ガイド部２６ｈの間につなぎ材３６のガイド部３６ａが配置されていることをいう。
【００５５】
取付部材２６は、つなぎ材３６のガイド部３６ａに対して室内外方向Ｙの両側に配置される複数の被ガイド部２６ｈを有する。よって、取付部材２６を取り付けた状態の天井パネル１８を壁パネル１６の上方に配置するとき、つなぎ材３６のガイド部３６ａに取付部材２６の被ガイド部２６ｈを摺動させつつ下降させるようにガイドできる。これにより、天井パネル１８を壁パネル１６の上方に配置するとき、天井パネル１８の室内外方向Ｙ両側での位置決めを容易に行えるようになり、良好な施工性を得られる。
【００５６】
取付部材２６の複数の被ガイド部２６ｈは、天井パネル１８の辺方向Ｘにずれた位置に設けられる。よって、複数の被ガイド部２６ｈの間につなぎ材３６のガイド部３６ａが配置されている場合、室内空間１４から見てガイド部３６ａの手前側（内側）に内側被ガイド部２６ｈ−Ａが見え、ガイド部３６ａにより奥側（外側）の外側被ガイド部２６ｈ−Ｂが隠れて見えなくなる。このため、取付部材２６の複数の被ガイド部２６ｈとつなぎ材３６のガイド部３６ａが正しい位置に配置されているか容易に確認でき、施工の信頼性を更に確保し易くなる。なお、このような効果を得る観点から、複数の被ガイド部２６ｈは、少なくともその一部分が天井パネル１８の辺方向Ｘにずれた位置に設けられていればよい。
【００５７】
ルームユニット１２の他の特徴を説明する。
図１２は、図４のＡ部のコーナー部材４８の平面図である。コーナー部材４８は、第１塞ぎ部材２８−Ａの端部に装着される第１被装着部５６と、第２塞ぎ部材２８−Ｂの端部に装着される第２被装着部５８とを有する。
【００５８】
図１３は、図１２のＢ−Ｂ線端面図である。図１２、図１３に示すように、第１被装着部５６は、コーナー部材４８の第１塞ぎ部材２８−Ａと対向する第１対向面４８ａから突き出ている。第１被装着部５６は、上下に延びる基部５６ａと、基部５６ａの上端部から室内外方向Ｙの内側に延びる第１折り返し部５６ｂと、基部５６ａの下端部から室内外方向Ｙの内側に延びる第２折り返し部５６ｃとを有する。第１折り返し部５６ｂは、その基端部の上面に連なる面が内周側に位置するように折り返される。第１折り返し部５６ｂは、その基端部に対して先端部が近づく方向Ｐｂに曲げ量を増大させるように弾性変形可能である。第２折り返し部５６ｃは、その基端部の下面に連なる面が内周側に位置するように折り返される。第２折り返し部５６ｃは、その基端部に対して先端部が近づく方向Ｐｃに曲げ量を増大させるように弾性変形可能である。
【００５９】
第１塞ぎ部材２８−Ａのコーナー部材４８と対向する端部には、室内外方向Ｙの外側に向かって開く装着凹部２８ｍが設けられる。装着凹部２８ｍの上下に対向する箇所には段差状の当接部２８ｎが設けられる。第１塞ぎ部材２８−Ａの装着凹部２８ｍは、コーナー部材４８の各折り返し部５６ｂ、５６ｃの先端部が当接部２８ｎに当接することにより、室内外方向Ｙの内側への抜け外れが規制される。これにより、コーナー部材４８の第１被装着部５６には第１塞ぎ部材２８−Ａの端部が装着される。
【００６０】
第１塞ぎ部材２８−Ａの室内空間１４側からの隙間５０に対する方向Ｐａの差し込みによって、第１塞ぎ部材２８−Ａの装着凹部２８ｍ内にコーナー部材４８の第１被装着部５６が室内外方向Ｙの外側から入り込む。このとき、装着凹部２８ｍに対する第１被装着部５６の入り込み量の増大に伴い、第１被装着部５６の各折り返し部５６ｃが曲げ量を増大させるように弾性変形する。装着凹部２８ｍに対する第１被装着部５６の入り込み量が更に増大すると、第１被装着部５６が復元することで、装着凹部２８ｍの当接部２８ｎに当接可能な位置に各折り返し部５６ｃが配置される。つまり、コーナー部材４８の第１被装着部５６には、スナップフィット方式を用いて、第１塞ぎ部材２８−Ａの隙間５０に対する差し込みによって第１塞ぎ部材２８−Ａが装着される。
【００６１】
図１４は、図１２のＣ−Ｃ線端面図である。図１２、図１４に示すように、第２被装着部５８は、コーナー部材４８の第２塞ぎ部材２８−Ｂと対向する第２対向面４８ｂから突き出ている。第２塞ぎ部材２８−Ｂのコーナー部材４８と対向する端部には、第２塞ぎ部材２８−Ｂの長手方向Ｐｄの外方に向かって開く中空部２８ｏが設けられる。第２被装着部５８は、第２塞ぎ部材２８−Ｂの中空部２８ｏに差し込まれる。第２被装着部５８は、第２塞ぎ部材２８−Ｂの長手方向Ｐｄでのコーナー部材４８に対する相対移動によって、第２塞ぎ部材２８−Ｂの中空部２８ｏ内に差し込まれる。これにより、コーナー部材４８の第２被装着部５８には第２塞ぎ部材２８−Ｂの端部が装着される。
【００６２】
以上の塞ぎ部材２８やコーナー部材４８を用いて天井パネル１８と壁パネル１６の間の隙間５０を塞ぐとき、次の工程を経る。まず、図１５（ａ）に示すように、第２塞ぎ部材２８−Ｂの長手方向Ｐｄでのコーナー部材４８に対する相対移動によって、第２塞ぎ部材２８−Ｂの両端部をコーナー部材４８の第２被装着部５８に装着する。この後、図１５（ｂ）に示すように、二つのコーナー部材４８を装着した状態で第２塞ぎ部材２８−Ｂを室内空間１４側から隙間５０に方向Ｐｅに差し込む。これにより、天井面４６の対辺の関係にある二つの外辺（本例では短辺側の外辺）より下方の隙間５０が、二つのコーナー部材４８と第２塞ぎ部材２８−Ｂにより塞がれる。この後、図１５（ｃ）に示すように、第１塞ぎ部材２８−Ａを室内空間１４側から隙間５０に方向Ｐｆに差し込む。これにより、コーナー部材４８の第１被装着部５６に第１塞ぎ部材２８−Ａの端部が装着される。また、天井面４６の対辺の関係にある他の二つの外辺（本例では長辺側の外辺）より下方の隙間５０が、第１塞ぎ部材２８−Ａにより塞がれる。
【００６３】
このように、コーナー部材４８は、塞ぎ部材２８の室内空間１４側からの隙間５０に対する差し込みによって、塞ぎ部材２８が装着される第１被装着部５６を有する。よって、コーナー部材４８との干渉を招くことなく、天井パネル１８と壁パネル１６の隙間５０に塞ぎ部材２８を室内空間１４から配置しつつ、塞ぎ部材２８をコーナー部材４８に装着できる。
【００６４】
図２を参照する。塞ぎ部材２８は、外壁部２８ｄの下部から室外側に突き出る下側回り止め部２８ｐと、外壁部２８ｄの上部から室外側に突き出る上側回り止め部２８ｑとを有する。下側回り止め部２８ｐと上側回り止め部２８ｑは締結具３０用の挿通孔２８ｋを上下に挟む位置に設けられる。本実施形態の下側回り止め部２８ｐは塞ぎ部材２８の下壁部２８ｂの一部として設けられる。
【００６５】
取付部材２６は、塞ぎ部材２８の上側回り止め部２８ｑと室内外方向Ｙに対向する箇所に溝状の掛け部２６ｋが設けられる。この掛け部２６ｋには上側回り止め部２８ｑが差し込まれる。取付部材２６と塞ぎ部材２８を締結具３０で締結するとき、塞ぎ部材２８には締結具３０の頭部との摩擦を介して回転力が付与される。これにより、塞ぎ部材２８は、取付部材２６に対して締結具３０の軸部周りに相対回転しようとする。このとき、上側回り止め部２８ｑは塞ぎ部材２８の掛け部２６ｋに当接し、下側回り止め部２８ｐは塞ぎ部材２８の内側被ガイド部２６ｈ−Ａに当接する。これにより、上側回り止め部２８ｑと下側回り止め部２８ｐは、取付部材２６の塞ぎ部材２８に対する相対回転を規制できる。なお、上側回り止め部２８ｑと下側回り止め部２８ｐは、塞ぎ部材２８との当接により塞ぎ部材２８と一体化する役割もある。
【００６６】
以上、本発明の実施形態の例について詳細に説明した。前述した実施形態は、いずれも本発明を実施するにあたっての具体例を示したものにすぎない。実施形態の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して説明しているが、そのような表記のない内容に設計変更が許容されないわけではない。また、図面の断面に付したハッチングは、ハッチングを付した対象の材質を限定するものではない。
【００６７】
ベース２２は、柱材３４とつなぎ材３６の組み合わせにより構成される例を説明したが、これに限られない。たとえば、ベース２２は、建物の躯体を構成する柱梁等の軸材でもよい。
【００６８】
取付部材２６は、弾性爪２６ｆを用いて天井パネル１８の外辺部１８ａに取り付けられる例を説明したが、その取り付け手段は特に限られない。たとえば、天井パネル１８の外辺部１８ａにビス等を用いて取り付けられてもよい。
【００６９】
塞ぎ部材２８のベース２２に対する固定方法は特に限られない。たとえば、塞ぎ部材２８の室内空間１４側からの隙間５０に対する差し込み動作に連動して、スナップフィット方式によりベース２２に弾性爪を引っ掛けることでベース２２に固定してもよい。塞ぎ部材２８は、隣り合う天井パネル１８の境界位置１８ｂを辺方向Ｘに跨ぐ形状の例を説明したが、その境界位置１８ｂで分断されていてもよい。
【００７０】
取付部材２６は複数の被ガイド部２６ｈを有する例を説明したが、その数は一つでもよいし、被ガイド部２６ｈがなくともよい。被ガイド部２６ｈがない場合でも、取付部材２６は、締結具３０用の孔が設けられた下向きに延びる壁部を有していてもよい。また、複数の被ガイド部２６ｈは、天井パネル１８の辺方向Ｘにずれた位置に設けられず、室内空間１４側から見て内側被ガイド部２６ｈ−Ａにより外側被ガイド部２６ｈ−Ｂの全体が覆われていてもよい。
【００７１】
コーナー部材４８の第１被装着部５６は、第１塞ぎ部材２８と対向する箇所に設けられる例を説明したが、第２塞ぎ部材２８と対向する箇所にも設けられてもよい。
【００７２】
以上の実施形態、変形例により具体化される発明を一般化すると、以下の技術的思想が導かれる。以下、発明が解決しようとする課題に記載の態様を用いて説明する。
【００７３】
第２態様のルームユニットは、第１態様において、前記塞ぎ部材は、隣り合う前記天井パネルの境界位置を前記外辺部に沿った辺方向に跨ぐ形状でもよい。
この態様によれば、天井パネルの境界位置で塞ぎ部材に継ぎ目がない構造となる。このため、ルームユニットの組み立て時、止水処理の工数を減らすことができ、良好な施工性を得られる。
【００７４】
第３態様のルームユニットは、第１態様又は第２態様において、前記ベース及び前記取付部材は、前記隙間から前記塞ぎ部材を抜き出したとき、前記室内空間から前記隙間を通して視認可能な位置に配置されてもよい。
この態様によれば、取付部材とベースの取り合い状況を目視でき、両者が正しい位置に配置されているか容易に確認でき、施工の信頼性を確保し易くなる。
【００７５】
第４態様のルームユニットは、第１態様から第３態様のいずれかにおいて、前記取付部材は、前記ベースに設けられるガイド部に対して前記壁パネルの室内外方向の両側に配置される複数の被ガイド部を有してもよい。
この態様によれば、天井パネルを壁パネルの上方に配置するとき、天井パネルの室内外方向両側での位置決めを容易に行えるようになり、良好な施工性を得られる。
【００７６】
第５態様のルームユニットは、第４態様において、前記複数の被ガイド部は、前記外辺部に沿った辺方向にずれた位置に設けられてもよい。
この態様によれば、取付部材の複数の被ガイド部とベースのガイド部が正しい位置に配置されているか容易に確認でき、施工の信頼性を確保し易くなる。
【００７７】
第６態様のルームユニットは、第１態様から第５態様のいずれかにおいて、前記複数の天井パネルが形成する天井面の角部より下方に配置されるコーナー部材を更に備え、前記コーナー部材は、前記室内空間側からの前記隙間に対する前記塞ぎ部材の差し込みによって、前記塞ぎ部材が装着される被装着部を有してもよい。
この態様によれば、コーナー部材との干渉を招くことなく、天井パネルと壁パネルの隙間に塞ぎ部材を室内空間から配置しつつ、塞ぎ部材をコーナー部材に装着できる。
【００７８】
本発明の第７態様はルームユニットの組み立て方法である。第７態様は、第１態様から第６態様のいずれかのルームユニットの組み立て方法であって、前記取付部材を取り付けた状態の前記天井パネルを前記壁パネルの上方に配置し、前記室内空間側から前記隙間に前記塞ぎ部材を差し込み、前記塞ぎ部材を前記取付部材とともに前記ベースに固定することを特徴とする。
【符号の説明】
【００７９】
１２…ルームユニット、１４…室内空間、１６…壁パネル、１６ａ…上辺部、１６ｂ…境界位置、１８…天井パネル、１８ａ…外辺部、１８ｂ…境界位置、２２…ベース、２６…取付部材、２６ｈ…被ガイド部、２８…塞ぎ部材、３６ａ…ガイド部、４６…天井面、４６ａ…角部、４８…コーナー部材、５０…隙間、５６…被装着部。
【図１】
2018100579.tif 000003
【図２】
2018100579.tif 000004
【図３】
2018100579.tif 000005
【図４】
2018100579.tif 000006
【図５】
2018100579.tif 000007
【図６】
2018100579.tif 000008
【図７】
2018100579.tif 000009
【図８】
2018100579.tif 000010
【図９】
2018100579.tif 000011
【図１０】
2018100579.tif 000012
【図１１】
2018100579.tif 000013
【図１２】
2018100579.tif 000014
【図１３】
2018100579.tif 000015
【図１４】
2018100579.tif 000016
【図１５】
2018100579.tif 000017